(57)【特許請求の範囲】
【請求項１】
車両に固定されたケース内外に移動自在に設けられた表示装置と、少なくとも前記表示装置に表示される映像情報を記録した記録媒体を再生する再生装置とを備えた再生表示装置であって、
前記表示装置をケース内外に移動させる移動手段と、
前記再生装置内に装着された記録媒体が前記映像情報を記録した記録媒体であると判別したときにケース内に収納されている表示装置をケースの外に移動させ、前記記録媒体の前記再生装置内への装着が解除されてから所定時間内に再度、前記記録媒体の装着がなされない場合には、前記ケースの外に移動された状態にある前記表示装置を前記ケース内に移動させるべく前記移動手段を制御する制御手段と、
を備えたことを特徴とする再生表示装置。
【請求項２】
前記制御手段は、所定時間以内に再度、前記記録媒体が装着された場合に当該記録媒体に前記映像情報が記録されているかを判別し、前記映像情報が記録されていると判別したときには前記ケースの外に移動された状態にある表示装置を保持させ、前記映像情報が記録されていないと判別したときには前記ケースの外に移動された状態にある表示装置をケース内に移動させるべく前記移動手段を制御することを特徴とする請求項１に記載の再生表示装置。
【請求項３】
前記再生装置は、前記映像情報以外の他の情報のみを記録した記録媒体の再生が可能であることを特徴とする請求項１又は２に記載の再生表示装置。
【請求項４】
車両に固定されたケース内外に移動自在に設けられた表示装置と、少なくとも前記表示装置に表示される映像情報を記録した記録媒体を再生する再生装置とを備えた再生表示装置の再生表示方法であって、
前記再生装置内に装着された記録媒体が映像情報を記録した記録媒体であるかを判別する工程と、
前記記録媒体が映像情報を記録した記録媒体であると判別したときに前記ケース内に収納されている表示装置をケース外に移動させる工程と、
前記移動された表示装置に前記記録媒体に記録された映像情報を表示させる工程と、
前記記録媒体の前記再生装置内への装着が解除されてから所定時間内に再度、前記記録媒体の装着がなされない場合には、前記ケースの外に移動された状態にある前記表示装置を前記ケース内に移動させる工程と、
を含むことを特徴とする再生表示方法。
【発明の詳細な説明】
【０００１】
【発明の属する技術分野】
本発明は、映像情報を表示する表示装置とその映像情報を記録した記録媒体を再生する再生装置とで構成される再生表示装置に関する。
【０００２】
従来の再生表示装置としては、例えば、移動体である車両の運転席近傍に搭載され、映像情報を記録した記録媒体（例えば、ＤＶＤ（Digital Versatile Disc）−ＶｉｄｅｏやＶｉｄｅｏ−ＣＤ）と映像情報以外の情報のみを記録した記録媒体（例えば、ＣＤ−ＤＡ（Compact Disc-Digital Audio）との各々を再生可能とするマルチメディアプレーヤと、そのマルチメディアプレーヤにより再生された映像情報を表示するモニタとを備えたものがある。
【０００３】
そのモニタとしては、例えば、車両のダッシュボード内に設けられたケーシング内に収納されるとともにそのケーシングに対して進退自在に保持される車載用モニタが存在する。つまり、モニタを使用する際には、モニタをケーシング外に移動させ、モニタを使用しないときにはモニタをケーシング内に収納させるというものである。
【０００４】
【発明が解決しようとする課題】
上述した従来の再生表示装置では、マルチメディアプレーヤ内に記録媒体が装着されると、ケーシング内に収納されているモニタを自動的にケーシング外に移動させている。つまり、ケーシング外にモニタを移動させるための移動指令等の操作を削減して利便性の向上を図っている。しかしながら、従来の再生表示装置では、単に記録媒体の装着をトリガーとしてモニタをケーシング外に移動させているため、モニタに表示するための映像情報が記録されていない記録媒体が装着された場合でもモニタが移動されている。そうなると、例えば、利用者がＣＤ等の記録媒体を再生させようとしてマルチメディアプレーヤ内に挿入した場合、すなわち、モニタの利用を必要としない記録媒体を挿入した場合でもケーシング内に収納されているモニタが自動的にケーシング外に移動されることになり、そのケーシング外に移動されたモニタをケーシング内に収納させるという煩わしい操作が発生してしまうという問題があった。
【０００５】
本発明は、少なくとも上述した課題を解決するためになされたものであって、再生装置内に装着された記録媒体の種類に応じて、その表示装置の起動状態を制御する再生表示装置及び再生表示方法を提供することにある。
【０００６】
【課題を解決するための手段】
前述した目的を達成するために、本発明に係る再生表示装置は、請求項１に記載したように、車両に固定されたケース内外に移動自在に設けられた表示装置と、少なくとも前記表示装置に表示される映像情報を記録した記録媒体を再生する再生装置とを備えた再生表示装置であって、前記表示装置をケース内外に移動させる移動手段と、前記再生装置内に装着された記録媒体が前記映像情報を記録した記録媒体であると判別したときにケース内に収納されている表示装置をケースの外に移動させ、前記記録媒体の前記再生装置内への装着が解除されてから所定時間内に再度、前記記録媒体の装着がなされない場合には、前記ケースの外に移動された状態にある前記表示装置を前記ケース内に移動させるべく前記移動手段を制御する制御手段と、を備えたことを特徴とする。
【０００８】
本発明に係る再生表示方法は、請求項４に記載したように、車両に固定されたケース内外に移動自在に設けられた表示装置と、少なくとも前記表示装置に表示される映像情報を記録した記録媒体を再生する再生装置とを備えた再生表示装置の再生表示方法であって、前記再生装置内に装着された記録媒体が映像情報を記録した記録媒体であるかを判別する工程と、前記記録媒体が映像情報を記録した記録媒体であると判別したときに前記ケース内に収納されている表示装置をケース外に移動させる工程と、前記移動された表示装置に前記記録媒体に記録された映像情報を表示させる工程と、前記記録媒体の前記再生装置内への装着が解除されてから所定時間内に再度、前記記録媒体の装着がなされない場合には、前記ケースの外に移動された状態にある前記表示装置を前記ケース内に移動させる工程と、を含むことを特徴とする。
【００１０】
【発明の実施の形態】
以下、本発明における再生表示装置の実施の形態について図面を参照しながら説明する。なお、本実施の形態では、ＤＶＤとＣＤの各記録媒体を再生可能とする再生装置、特に、映像情報を記録した記録媒体としてＤＶＤ−Ｖｉｄｅｏ、ＤＶＤ−Ａｕｄｉｏ、Ｖｉｄｅｏ−ＣＤが再生可能な再生装置と、ケーシングに対して進退自在に保持された表示装置とを備えた車載用再生表示装置を一実施例として説明する。
【００１１】
図１は、一実施例に係る車載用再生表示装置の外観構成を示す外観図である。図１に示す車載用再生表示装置１は、車両の運転席と助手席との間に位置するダッシュボード４内に設置された表示装置であるモニタ２と再生装置であるマルチメディアプレーヤ３とで構成されている。モニタ２は、映像情報を表示する表示画面２ａを有するとともに、ダッシュボード４内に埋設されたケーシング５に対しその内外方向に進退自在に保持されている。
【００１２】
また、このモニタ２は、ケーシング５内に設けられた図示せぬ駆動モータ等からなる移動機構により進退移動される。さらに、モニタ２は、移動機構によりそのま表示画面２ａが下方向に向いた状態でケーシング５内外に移動され、モニタ２がケーシング５内からケーシング５外に向けて移動される際には、表示画面２ａが下方向に向いた状態で移動された後にその表示画面２ａが移動方向に向くようにして回動される。図１では、モニタ２がケーシング外に移動され、表示画面２ａがその移動方向に向くようにして回動された状態を示している。この状態を「立ち上げ状態」と称して以下を説明する。
【００１３】
マルチメディアプレーヤ３は、操作パネル３ａを有し、その操作パネル３ａには、ＤＶＤやＣＤの各記録媒体が挿入される挿入口３ｂとマルチメディアプレーヤ３内に装着された記録媒体を挿入口３ｂを介してマルチメディアプレーヤ３外に排出させるためのイジェクト釦等の各種操作釦３ｃ，３ｃ・・と記録媒体の再生経過情報等を表示する表示部３ｄが設けられている。
【００１４】
また、このマルチメディアプレーヤ３内には、挿入口３ｂから挿入された記録媒体を所定の再生位置まで搬送する搬送モータ等を備えた搬送機構やその搬送機構により所定の再生位置に搬送された記録媒体を装着してその記録媒体に記録された情報を読み取り再生する再生機構が設けられている。
この再生機構は、映像情報を記録したＤＶＤ等の記録媒体や音楽情報を記録したＣＤ等の記録媒体等、多メディアの再生が可能となる。また、その再生機構により読み取られた映像情報は、モニタ２の表示画面２ａに表示される。
【００１５】
次に、一実施形態における車載用再生表示装置１の詳細な構成について図２に示すブロック図を用いて説明する。まず、車載用再生表示装置１におけるモニタ２の構成について説明する。モニタ２は、上述した表示画面２ａとモニタ２全体の制御を司る制御部２ｂとに大別される。
【００１６】
表示画面２ａは、液晶表示素子等で構成されマルチメディアプレーヤ３により表示画面２ａに表示される映像データとして変換された映像信号を表示する。制御部２ｂは、モニタ２全体の制御を司るとともに移動機構６の動作制御を司る役割を担い、例えば、表示画面２ａに表示される映像を切換える処理やマルチメディアプレーヤ３から通信ライン８を介して供給される信号に基づき上述した移動機構６を動作させる処理等を行う。
【００１７】
また、モニタ２には電源スイッチ７が設けられており、その電源スイッチ７を介して車両のバッテリーから電源電圧が供給されることにより、モニタ２が起動状態となる。なお、その電源スイッチ７は、制御部２ｂの制御によりオン／オフされる。
【００１８】
次に、車載用再生表示装置１におけるマルチメディアプレーヤ３の構成について説明する。マルチメディアプレーヤ３は、上述した挿入口３ｂから挿入された記録媒体Ｄを搬送する搬送ローラ等からなる搬送機構３ｅと、搬送機構３ｅにより搬送された記録媒体Ｄを所定の再生位置にて装着する図示せぬクランパとターンテーブルとにより記録媒体Ｄが装着されたこと、又はその装着が解除されたことを検知するメカスイッチ等からなる検知部と、所定の再生位置に装着された記録媒体Ｄを線速度一定に回転するスピンドルモータ３Ｆと、記録媒体Ｄに記録された情報を読み取るピックアップ３Ｇを備える。
【００１９】
ピックアップ３Ｇは、所定の再生位置に装着された記録媒体Ｄの種類に応じて異なる波長のレーザ光を発射するＬＤ（Laser Diode）（図示せず）やそのＬＤから発射されたレーザ光を収束して記録媒体の情報記録面に照射する対物レンズ（図示せぬ）やその対物レンズをトラッキング方向とフォーカス方向に駆動するアクチュエータ（図示せず）とを有し、そのＬＤから発射されるレーザ光により記録媒体Ｄに記録された情報を読み取る。
【００２０】
また、マルチメディアプレーヤ３は、所定の再生位置に装着された記録媒体Ｄの径方向にピックアップ３Ｇを移動させるキャリッジモータ３Ｈ等からなるキャリッジ機構と、ピックアップ３Ｇにより読み取られた信号を増幅するＲＦアンプ３Ｉを備え、ＲＦアンプ３Ｉから供給されるトラッキングエラー信号ＴＥ、フォーカスエラー信号ＦＥや再生信号ＲＦによりトラッキングサーボ、フォーカスサーボ、キャリッジサーボ、スピンドルサーボ等の各種サーボの制御を司るサーボ制御部３Ｊと、ＲＦアンプ３Ｉから供給される再生信号ＲＦに対し、所定の誤り訂正処理や信号復調処理（映像情報の場合は、ＭＰＥＧ復調処理）等の信号処理を施すとともに再生信号ＲＦをビデオ（映像）信号とオーディオ（音声）信号とに分離する信号処理部３Ｋを備える。
【００２１】
さらに、マルチメディアプレーヤ３は、信号処理部３Ｋにより分離されたオーディオ（音声）信号をアナログテータに変換するＤ／Ａ変換部３Ｌと、Ｄ／Ａ変換部３Ｌにより変換されたアナログオーディオ信号を増幅して出力するスピーカ３Ｎとを備え、信号処理部３Ｋにより分離されたビデオ（映像）信号をデコードするとともにモニタ２の表示画面２ａに表示される表示用の映像データとして変換する映像変換部３Ｍとを備える。
【００２２】
映像変換部３Ｍにより変換された映像テータは、通信ライン８によりモニタ２の制御部２ｂを介して表示画面２ａに供給され映像表示される。制御部３Ｐは、マルチメディアプレーヤ３全体の制御を司る役割を担い、例えば、操作パネル３ａに設けられた各種操作釦３ｃ，３ｃ・・が操作されることにより供給される操作信号に基づきサーボ制御部や搬送機構を制御する。
【００２３】
また、制御部３Ｐは、所定の再生位置に装着された記録媒体Ｄの種類を示す信号を通信ライン８を介してモニタ２の制御部２ｂに供給する。そして、その信号が少なくともモニタ２の表示画面２ａに表示される映像情報を記録した記録媒体を示す信号である場合にはその信号を記憶する内蔵メモリを有する。さらに、記録媒体の装着が解除されたとき（例えば、イジェクト釦が操作されたとき）から所定時間を計測するタィマーが備えられており、そのタイマーによる計測中に再度少なくともモニタ２の表示画面２ａに表示される映像情報を記録した記録媒体であることを示す信号が得られない場合には、タイマーによる所定時間の計数が終了した後内蔵メモリに記憶された信号をクリアする。なお、クランパ、ターンテーブル、ピックアップ３Ｇ、スピンドルモータ３Ｆ、キャリッジ機構、サーボ制御部３Ｊ、ＲＦアンプ３Ｉ、信号処理部３Ｋ、制御部３Ｐ、映像変換部３Ｍ、Ｄ／Ａ変換部３Ｌ、スピーカ３Ｎにより再生機構が構成される。
【００２４】
以上のように構成された車載用再生表示装置１における再生装置であるマルチメディアプレーヤ３の動作及びその制御について図３及び図４に示すフローチャートを用いて説明する。まず、利用者により記録媒体が挿入口３ｂを介してマルチメディアプレーヤ３内に挿入されると、搬送機構３ｅにより所定の再生位置に位置付けられ、クランパとターンテーブルにより装着される。そして、所定の再生位置への記録媒体の装着が完了されると、制御部３Ｐは、先ず、装着された記録媒体がＤＶＤであることを想定して、上述した各種サーボをＤＶＤに記録された情報を読み取るために必要なサーボとして設定する。そして、サーボ制御部による各種サーボ制御により記録媒体に記録された情報の読み取りが開始される（ステップＳ１）。
【００２５】
次に、制御部３Ｐは、ステップ１にて設定されたサーボ制御により記録媒体に記録された情報が正常に読み取れたかを判断する（ステップＳ２）。このとき、上述したＬＤからはＤＶＤに記録された情報を読み取るために必要な波長（短波長）のレーザ光が発射されている。つまり、所定の再生位置に装着された記録媒体がＤＶＤの情報記録密度とは異なる情報記録密度を有する記録媒体（例えば、ＣＤ等）であった場合、又は記録媒体の情報記録面がピックアップ３Ｇと対向しない状態であった場合には、記録媒体からの正常な反射光が得られないため各種サーボは正常に機能しなくなり各種サーボが適切にクローズできなくなる。その様な事情を鑑みて各種サーボが適切にクローズされたかの判断を行う。各種サーボのクローズが適切に行えなかった場合（ステップＳ２：ＮＯ）には、ＤＶＤ以外の記録媒体であるか、又は正常な状態で記録媒体が装着されていないとして、図４に示すステップＳ１１に移行する。各種サーボのクローズが適切に行われた場合、すなわち、ピックアップ３ＧのＬＤから発射されたレーザ光により記録媒体に記録された情報が適切に読み取れた場合（ステップＳ２：ＹＥＳ）には、装着された記録媒体の種別がＤＶＤであるとして、その記録媒体に記録された所定の情報を読み取る（ステップＳ３）。
【００２６】
ここで読み取られる所定の情報とは、ＤＶＤのボリューム空間における「Volume and File structure」ゾーンに記録されている情報であり、ここには、例えば、ＤＶＤ−Ｖｉｄｅｏの場合には、ＶＭＧ（Video Manager）のインフォメーション等が格納された「ＶＩＤＥＯ＿ＴＳ．ＩＦＯ」のファイルが記億されている。また、例えば、ＤＶＤ−Ａｕｄｉｏの場合には、ＡＭＧ（Audio Manager）のインフォメーション等が格納された「ＡＵＤＩＯ＿ＴＳ．ＩＦＯ」のファイルが記録されている。なお、例えば、ＤＶＤ−ＲＯＭ（Read Only Memory）の場合には、「ＶＩＤＥＯ＿ＴＳ．ＩＦＯ」のファイルと「ＡＵＤＩＯ＿ＴＳ．ＩＦＯ」のファイルのどちらのファイルも記録されていない。
【００２７】
ステップＳ３にて読み取られた所定の情報は、ＲＦアンプ３Ｉを介して信号処理部３Ｋに供給されるとともに、信号処理部３Ｋにて信号処理が施されて制御部３Ｐに供給される。
そして、制御部３Ｐは、マルチメディアプレーヤ３内の所定の再生位置に装着された記録媒体の種類を判別する（ステップＳ４）。所定の再生位置に装着された記録媒体がＤＶＤ−Ｖｉｄｅｏであると判別した場合、すなわち、ボリューム空間における「Volume and File structure」ゾーンに「ＶＩＤＥＯ＿ＴＳ．ＩＦＯ」のファイルが記憶されていることを確認した場合（ステップＳ４：ＹＥＳ）には、マルチメディアプレーヤ３内に装着された記録媒体が少なくともモニタ２の表示画面２ａに表示される映像情報を記録した記録媒体であると確定する（ステップＳ５）。
【００２８】
そして、制御部３Ｐは、記録媒体の種類を示す信号を通信ライン８を介してモニタ２の制御部２ｂに供給するとともに、内蔵メモリにその信号を記憶する。その後、ＤＶＤ−Ｖｉｄｅｏに記録された映像情報等の再生が行われる。すなわち、ピックアップ３Ｇにより読み取られた再生信号ＲＦがＲＦアンプ３Ｉにて増幅されるとともに，信号処理部３Ｋにて所定の信号処理が施され、ビデオ（映像）信号とオーディオ（音声）信号とに分離される。
【００２９】
そして、ビデオ（映像）信号は、映像変換部３Ｍに供給されてモニタ２の表示画面２ａに表示される映像データに変換されるとともに、通信ライン８を介してモニタ２の制御部２ｂに供給され表示画面２ａに映像表示される。また、オーディオ（音声）信号は、Ｄ／Ａ変換部３Ｌに供給されてアナログオーディオ信号に変換されるとともに、スピーカ３Ｎにて増幅され音声として出力される。
【００３０】
ステップＳ４にて、所定の再生位置に装着された記録媒体がＤＶＤ−Ｖｉｄｅｏではないと判別した場合、すなわち、ボリューム空間における「Volume and File structure」ゾーンに「ＶＩＤＥＯ＿ＴＳ．ＩＦＯ」のファイルが記憶されてないことを確認した場合（ステップＳ４：ＮＯ）には、次に、所定の再生位置に装着された記録媒体がＤＶＤ−Ａｕｄｉｏであるかの判別を行う（ステップＳ６）。
【００３１】
ＤＶＤ−Ａｕｄｉｏであると判別した場合、すなわち、ボリューム空間における「Volume and File structure」ゾーンに「ＡＵＤＩＯ＿ＴＳ」のファイルが記憶されていることが確認された場合（ステップＳ６：ＹＥＳ）には、マルチメディアプレーヤ３内に装着された記録媒体が少なくともモニタ２の表示画面２ａに表示される映像情報を記録した記録媒体であると確定する（ステップＳ７）。
【００３２】
そして、制御部３Ｐは、記録媒体の種類を示す信号を通信ライン８を介してモニタ２の制御部２ｂに供給するとともに、内蔵メモリにその信号を記憶する。その後、ＤＶＤ−Ａｕｄｉｏに記録された映像情報等の再生が行われる。
すなわち、ピックアップ３Ｇにより読み取られた再生信号ＲＦがＲＦアンプ３Ｉにて増幅されるとともに、信号処理部３Ｋにて所定の信号処理が施され、ビデオ（映像）信号とオーディオ（音声）信号とに分離される。
【００３３】
そして、ビデオ（映像）信号は、映像変換部３Ｍに供給されてモニタ２の表示画面２ａに表示される映像データに変換されるとともに、通信ライン８を介してモニタ２の制御部２ｂに供給され表示画面２ａに映像表示される。
また、オーディオ（音声）信号は、Ｄ／Ａ変換部３Ｌに供給されてアナログオーディオ信号に変換されるとともに、スピーカ３Ｎにて増幅され音声として出力される。
【００３４】
ステップＳ６にて、所定の再生位置に装着された記録媒体がＤＶＤ−Ａｕｄｉｏではないと判別した場合、すなわち、ボリューム空間における「Volume and File structure」ゾーンに「ＡＵＤＩＯ＿ＴＳ．ＩＦＯ」のファイルが記憶されてないことを確認した場合（ステップＳ６：ＮＯ）には、その所定の再生位置に装着された記録媒体がＤＶＤ−ＶｉｄｅｏでもＤＶＤ−Ａｕｄｉｏでもないので、少なくともモニタ２の表示画面２ａに表示される映像情報を記録した記録媒体ではない（例えば、ＤＶＤ−ＲＯＭ）と確定する（ステップＳ８）。
【００３５】
そして、制御部３Ｐは、記録媒体の種類を示す信号を通信ライン８を介してモニタ２の制御部２ｂに供給する。その後、所定の再生位置に装着された記録媒体の再生が行われる。この場合、ピックアップ３Ｇで読み取られＲＦアンプ３Ｉで増幅された再生信号ＲＦには映像信号が含まれていないため、信号処理部３Ｋでの分離処理は行われず、オーディオ（音声）信号がＤ／Ａ変換部３Ｌにてアナログオーディオ信号に変換された後、スピーカ３Ｎにて出力されることになる。
なお、例えば、ＤＶＤ−ＲＯＭの場合には、スピーカから出力される情報も存在しないことになるため、搬送機構３ｅにより強制排出されることになる。
【００３６】
次に、ステップＳ２で各種サーボのクローズが適切に行えなかった場合（ステップＳ２：ＮＯ）は、図４に示すステップＳ１１に移行し、制御部３Ｐは、上述の設定された各種サーボをＤＶＤに記録された情報を読み取るために必要なサーボからＣＤに記録された情報を読み取るために必要なサーボの設定に変更する。そして、サーボ制御部３Ｊによる各種サーボ制御により記録媒体に記録された情報の読み取りが開始される。
【００３７】
次に、制御部３Ｐは、ステップＳ１１にて設定されたサーボ制御により記録媒体に記録された情報が正常に読み取れたかを判断する（ステップＳ１２）。このとき、上述したＬＤからはＣＤに記録された情報を読み取るために必要な波長（ＤＶＤに記録された情報を読み取るために必要となる波長より長い波長）のレーザ光が発射される。
【００３８】
各種サーボのクローズが適切に行えなかった場合（ステップＳ１２：ＮＯ）には、正常な状態で記録媒体が装着されていない状態、例えば、記録媒体の情報記録面がピックアップ３Ｇと対向した状態で所定の再生位置に装着されていない状態であるとして、操作パネル３ａの表示部３ｄにエラー表示したり、所定の再生位置に装着された記録媒体を搬送機構３ｅにより強制排出する等の処理を行う（ステップＳ１９）。
【００３９】
各種サーボのクローズが適切に行れた場合、すなわち、ピックアップ３ＧのＬＤから発射されたレーザ光により記録媒体に記録された情報が適切に読み取れた場合（ステップＳ１２：ＹＥＳ）には、装着された記録媒体の種別がＣＤであるとして、その記録媒体に記録された所定の情報を読み取る（ステップＳ１３）。
【００４０】
ここで読み取られる所定の情報とは、ＣＤのリードインエリア内に記録されているＴＯＣ情報である。このＴＯＣ情報は、ＣＤ−ＤＡの場合には全てがオーディオ信号の記録トラックに係る情報になっており、また、それ以外のＣＤ（例えば、ＣＤ−ＲＯＭ（Read Only Memory）、Ｖｉｄｅｏ−ＣＤ）の場合にはオーディオ信号の記録トラックに係る情報とＲＯＭデータに係る情報が混在したもの、又は全てがＲＯＭデータの記録トラックに係わる情報になっている。また、Ｖｉｄｅｏ−ＣＤの場合にはトラック番号１の情報に、「ｉｎｆｏ．ｖｃｄ」と「ＫＡＲＩＮＦＯ．ＢＩＨ」のうちのどちらか一方の情報が含まれている。
【００４１】
ステップＳ１３にて読み取られた所定の情報は、ＲＦアンプ３Ｉを介して信号処理部３Ｋに供給されるとともに、信号処理部３Ｋにて信号処理が施されて制御部３Ｐに供給される。そして、制御部３Ｐは、マルチメディアプレーヤ３内の所定の再生位置に装着された記録媒体の種類を判別する（ステップＳ１４）。
【００４２】
所定の再生位置に装着された記録媒体がＣＤ−ＤＡであると判別した場合、すなわち、ＴＯＣ情報が全てオーディオ信号の記録トラックに係る情報であることを確認した場合（ステップＳ１４：ＹＥＳ）には、マルチメディアプレーヤ３内に装着された記録媒体がモニタ２の表示画面２ａに表示される映像情報を記録していない記録媒体であると確定する（ステップＳ１５）。
【００４３】
そして、制御部３Ｐは、記録媒体の種類を示す信号を通信ライン８を介してモニタ２の制御部２ｂに供給する。その後、ＣＤ−ＤＡに記録された映像情報以外の情報（オーディオ信号）等の再生が行われる。すなわち、ピックアップ３Ｇにより読み取られた再生信号ＲＦがＲＦアンプ３Ｉにて増幅されるとともに、信号処理部３Ｋにて所定の信号処理が施され、Ｄ／Ａ変換部３Ｌに供給されてアナログオーディオ信号に変換されるとともに、スピーカ３Ｎにて増幅され音声として出力される。
【００４４】
ステップＳ１４にて、所定の再生位置に装着された記録媒体がＣＤ−ＤＡではないと判別した場合、すなわち、ＴＯＣ情報にオーディオ信号以外の記録トラックに係る情報が含まれていることを確認した場合（ステップＳ１４：ＮＯ）には、次に、所定の再生位置に装着された記録媒体がＶｉｄｅｏ−ＣＤであるかの判別を行う（ステップＳ１６）。Ｖｉｄｅｏ−ＣＤであると判別した場合、すなわち、トラック番号１の情報に「ｉｎｆｏ．ｖｃｄ」と「ＫＡＲＩＮＦＯ．ＢＩＨ」のうちのどちらか一方の情報が含まれていることを確認した場合（ステップＳ１６：ＹＥＳ）には、マルチメディアプレーヤ３内に装着された記録媒体が少なくともモニタ２の表示画面２ａに表示される映像情報を記録した記録媒体であると確定する（ステップＳ１７）。
【００４５】
そして、制御部３Ｐは、記録媒体の種類を示す信号を通信ライン８を介してモニタ２の制御部２ｂに供給するとともに内蔵メモリにその信号を記憶する。その後、Ｖｉｄｅｏ−ＣＤに記録された映像情報等の再生が行われる。すなわち、ピックアップ３Ｇにより読み取られた再生信号ＲＦがＲＦアンプ３Ｉにて増幅されるとともに、信号処理部３Ｋにて所定の信号処理が施され、ビデオ（映像）信号とオーディオ（音声）信号とに分離される。
【００４６】
そして、ビテオ（映像）信号は、映像変換部３Ｍに供給されてモニタ２の表示画面２ａに表示される映像データに変換されるとともに、通信ライン８を介してモニタ２の制御部２ｂに供給され表示画面２ａに映像表示される。また、オーディオ（音声）信号は、Ｄ／Ａ変換部３Ｌに供給されてアナログオーディオ信号に変換されるとともに、スピーカ３Ｎにて増幅され音声として出力される。
【００４７】
ステップＳ１６にて、所定の再生位置に装着された記録媒体がＶｉｄｅｏ−ＣＤではないと判別した場合、すなわち、トラック番号１の情報にオーディオ信号以外の記録トラックに係る情報が含まれており、且つトラック番号１の情報に「ｉｎｆｏ．ｖｃｄ」と「ＫＡＲＩＮＦＯ．ＢＩＨ」のうちのどちらの情報も含まれていないことを確認した場合（ステップＳ１６：ＮＯ）には、その所定の再生位置に装着された記録媒体が少なくともモニタ２の表示画面２ａに表示される映像情報を記録した記録媒体ではない（例えば、ＣＤ−ＲＯＭ）と確定する（ステップＳ１５）。
【００４８】
そして、制御部３Ｐは、記録媒体の種類を示す信号を通信ライン８を介してモニタ２の制御部２ｂに供給する。その後、所定の再生位置に装着された記録媒体の再生が行われる。この場合、ピックアップ３Ｇで読み取られＲＦアンプ３Ｉで増幅された再生信号ＲＦにはモニタ２の表示画面２ａで表示される映像信号が含まれていないため、信号処理部３Ｋでの分離処理は行われず、オーディオ（音声）信号がＤ／Ａ変換部３Ｌにてアナログオーディオ信号に変換された後、スピーカ３Ｎにて出力されるというＣＤ−ＤＡと同様の再生処理が行われることになる。
なお、例えば、ＣＤ−ＲＯＭの場合には、スピーカ３Ｎから出力される情報も存在しないことになるため、ＣＤ−ＤＡと同様の処理は行われず、搬送機構３ｅにより強制排出されることになる。
【００４９】
次に、一実施例における車載用再生表示装置１の再生表示制御処理について図５に示すフローチャートを用いて説明する。図５（ａ）は、記録媒体がマルチメディアプレーヤ３内に装着されたときのモニタ２の表示制御を示すフローチャートであり、図５（ｂ）は、記録媒体がマルチメディアプレーヤ３内から排出されたときのモニタ２の制御を示すフローチャートである。
【００５０】
まず、図５（ａ）に示すフローチャートを用いて、記録媒体がマルチメディアプレーヤ３内に装着されたときのモニタ２の表示制御について説明する。制御部３Ｐは、モニタ２がケーシング５内に収納された状態にあり且つマルチメディアプレーヤ３内に記録媒体が装着されていない状態から、マルチメディアプレーヤ３の挿入口３ｂから挿入され搬送機構３ｅにより所定の再生位置に持ち越された記録媒体がクランパとターンテーブルにより装着されたかを判断する（ステップＳ２０）。
【００５１】
記録媒体が所定の再生位置に装着されていない場合（ステップＳ２０：ＮＯ）には、そのまま記録媒体が装着されるのを待機している。記録媒体が所定の再生位置に装着されたと判断した場合（ステップＳ２０：ＹＥＳ）には、ピックアップ３Ｇに記録媒体の所定の情報を読み取らせ、その所定の情報に基づき所定の再生位置に装着された記録媒体が少なくともモニタ２の表示画面２ａに表示される映像情報を記録した記録媒体であるかを判別する（ステップＳ２１）。
【００５２】
少なくともモニタ２の表示画面２ａに表示される映像情報を記録した記録媒体でないと判別した場合（ステップＳ２１：ＮＯ）には、モニタ２の制御部２ｂに記録媒体の種類を示す信号を供給せずその所定の再生位置に装着された記録媒体の再生処理を行う。少なくともモニタ２の表示画面２ａに表示される映像情報を記録した記録媒体であると判別した場合（ステップＳ２１：ＹＥＳ）には、内蔵メモリにその記録媒体の種類を示す信号を記憶して、その信号を通信ライン８を介してモニタ２の制御部２ｂに供給する。
【００５３】
そして、その信号を受けたモニタ２の制御部２ｂは、移動機構６を制御して、ケーシング５内に収納されているモニタ２をケーシング５外に移動させるとともに電源スイッチ７をオンさせる（ステップＳ２２）。
そして、マルチメディアプレーヤ３から供給される映像データが表示画面２ａに表示されるとともに、スピーカ３Ｎからオーディオ（音声）信号が出力される。
【００５４】
次に、図５（ｂ）に示すフローチャートを用いて、記録媒体がマルチメディアプレーヤ３内から排出されるときのモニタ２の表示制御について説明する。
モニタ２がケーシング５外から移動された状態にあり且つマルチメディアプレーヤ３内に装着された記録媒体からの映像情報が表示画面２ａに表示されている状態から、マルチメディアプレーヤ３の制御部３Ｐは、例えば、操作パネル３ａのイジェクト釦が利用者により操作されたかを判断し（ステップＳ３０）、操作パネル３ａのイジェクト釦が利用者により操作されていない場合（ステップＳ３０：ＮＯ）には、再生表示動作を継続して行わせる。
【００５５】
操作パネル３ａのイジェクト釦が利用者により操作された場合（ステップＳ３０：ＹＥＳ）には、所定の再生位置にある少なくともモニタ２の表示画面２ａに表示される映像情報を記録した記録媒体の再生を停止させ、その装着状態を解除させる。
【００５６】
そして、制御部３Ｐは、タイマーをスタートさせ、所定時間の計測を開始する。そして、装着状態が解除された記録媒体が搬送機構３ｅにより所定の再生位置から排出される。
次に、タイマーによる計数が終了したかを判断する（ステップＳ３１）。タイマーによる計数が終了していないとき（ステップＳ３１：ＮＯ）に、新たに所定の再生位置に装着された記録媒体が少なくともモニタ２の表示画面２ａに表示される映像情報を記録した記録媒体であるかを判別する（ステップＳ３２）。
【００５７】
所定時間内に、新たに所定の再生位置に装着された記録媒体が少なくともモニタ２の表示画面２ａに表示される映像情報を記録した記録媒体であると判別しなかった場合、つまり、映像情報を記録していない記録媒体であることを判別した場合（ステップＳ３２：ＮＯ）、タイマーの計数を終了させ、その終了したことを示す信号を通信ライン８を介してモニタ２の制御部２ｂに供給して内蔵メモリに記憶された信号をクリアする。
【００５８】
また、所定時間の計数中に新たな記録媒体が所定の再生位置に装着されず、そのまま所定時間の計数が終了した場合（ステップＳ３１：ＹＥＳ）には、タイマーによる計数が終了したことを示す信号を通信ライン８を介してモニタ２の制御部２ｂに供給して内蔵メモリに記憶された信号をクリアする。
そして、モニタ２の制御部２ｂは、電源スイッチ７をオフさせるとともに移動機構６を制御して、立ち上げ状態にあるモニタ２をケーシング５内に収納させる（ステップＳ３３）。
【００５９】
一方、ステップＳ３２にて、所定時間内に、新たに所定の再生位置に装着された記録媒体が少なくともモニタ２の表示画面２ａに表示される映像情報を記録した記録媒体であることを判別した場合（ステップＳ３２：ＹＥＳ）には、タイマーの計数を終了させ、内蔵メモリに記憶されている信号を再度モニタ２の制御部２ｂに供給する。
【００６０】
そして、その信号の供給を受けたモニタ２の制御部２ｂは、モニタ２の電源スイッチ７のオン状態に維持させるとともにモニタ２を立ち上げ状態のまま保持させる。つまり、内蔵メモリに記憶された信号がクリアされていない状態にある間は、モニタ２の電源スイッチ７のオン状態と立ち上げ状態はそのまま保持される。そして、その記録媒体の再生動作を開始させ、モニタ２の表示画面２ａに映像情報を表示させる。
【００６１】
以上、詳述したように一実施例における車載用再生表示装置ではマルチメディアプレーヤ３内に装着された記録媒体がモニタ２の表示画面２ａに表示される映像情報を記録した記録媒体であるかを判別して、その映像情報を記録した記録媒体であることを判別した場合に起動状態にないモニタを起動させるようにしている。従って、例えば、モニタの利用を必要としない記録媒体（例えば、ＣＤ−ＤＡ）が装着されたとしても、起動状態にないモニタが起動されることがないため煩わしい操作を削減することができる。
【００６２】
本発明に係る再生表示装置は、一実施例として車載用再生表示装置について説明したがこれに限るものではなく、例えば、家庭用などの再生表示装置にも適用可能である。
【００６３】
また、本発明に係る再生表示装置は、前述の実施例における電源スイッチのみを同様に制御することなどにより、ケーシングの内外に移動されるモニタのみならず、固定されたモニタにも適用可能である。
【００６４】
また、前述の実施例においては、再生装置のマルチメディアプレーヤがシングルプレーヤ（挿入口から挿入された記録媒体をそのまま再生位置まで搬送して再生するプレーヤ）である場合について説明したが、このマルチメディアプレーヤは、複数の記録媒体を内部に収容し、選択された記録媒体を取り出して再生を行うチェンジャー（マガジン挿入タイプや、挿入口を通して一枚毎プレーヤ内に挿入してプレーヤ内の収納部に複数枚収納させるタイプ）にも適用することができる。
【００６５】
なお、マルチメディアプレーヤがチェンジャーである場合は、複数の記録媒体が収容されたマガジンあるいは収納部から、選択された記録媒体がチェンジャーの搬送機構によって所定の再生位置に搬送されて装着され、この選択された記録媒体に対して再生が行われる。よって、マルチメディアプレーヤがチェンジャーである場合において、再生装置内に装着された記録媒体とは、この選択された記録媒体を指し、映像情報を記録した記録媒体であるか否かの判別等は、この選択された記録媒体に対して行われるものとする。
【図面の簡単な説明】
【図１】本発明の一実施例に係る再生表示装置の外観構成を示す外観図である。
【図２】本発明の一実施例に係る再生表示装置の制御系の構成を示すブロック図である。
【図３】本発明の実施の形態に係る再生表示装置の制御系の動作を示すフローチャートである。
【図４】本発明の実施の形態に係る再生表示装置の制御系の動作を示す他のフローチャート（１／２）である。
【図５】本発明の実施の形態に係る再生表示装置の制御系の動作を示す他のフローチャート（２／２）である。
【符号の説明】
１  再生表示装置
２  モニタ（表示装置）
３  マルチメディアプレーヤ（再生装置）
４  ダッシュボード
５  ケーシング
６  移動機構
７  電源スイッチ
８  通信ライン
【図１】
0003841408.tif 000002
【図２】
0003841408.tif 000003
【図３】
0003841408.tif 000004
【図４】
0003841408.tif 000005
【図５】
0003841408.tif 000006